(57)【特許請求の範囲】
【請求項１】
無線基地装置に対して音声送受信と文字メッセージの送受信を行い得る文字伝送機能付き携帯電話機において、
現在時刻データを格納する第１記憶手段と、
前記無線基地装置から送信された文字情報を受信する受信手段と、
この受信手段で受信された文字情報に含まれる文字メッセージデータを格納する第２記憶手段と、
前記受信手段で受信された文字情報に含まれる告知時刻データを格納する第３記憶手段と、
前記第１記憶手段に格納された現在時刻データに基づく現在時刻と前記第３記憶手段に格納された告知時刻データに基づく告知時刻とが一致したときに他の機能に関する告知音とは異なる告知音を発生させる告知手段と、
前記第２記憶手段に格納された文字メッセージデータに基づく文字表示を、少なくとも前記告知手段による告知音後、第１の特定キーの操作に応答して表示させる表示手段と、
その操作により、文字メッセージの前記表示を停止させる第２の特定キーと、
を備え、前記第２の特定キーの操作が所定時間ないときに強制的に前記文字メッセージの表示を停止させることを特徴とする文字伝送機能付き携帯電話機。
【発明の詳細な説明】
【０００１】
【発明の属する技術分野】
本発明は、文字伝送機能付き携帯電話機に関し、特に、無線基地装置に対して音声送受信と文字メッセージの送受信を行い得る文字伝送機能付き携帯電話機に関する。
【０００２】
【従来の技術】
携帯電話機は、通信可能なエリアが大幅に拡大されたことや、電子機器の技術進歩により極めて小形軽量にされたことにより、携帯電話やＰＨＳと称される電話システムとして一般に広く用いられている現状である。
【０００３】
また、近年の携帯電話機は、基本機能である音声送受信のみならず、付加機能として文字メッセージの送受信も行うことができるようになって来ている。この場合、文字メッセージの送信を携帯電話機で行うには、送信すべき文字メッセージの設定データ、例えば「シリョウヲオクッテクダサイ」等を当該携帯電話機の本体に設けられたテンキー等の操作キーで予め設定し、しかる後に伝送すべき相手の電話番号をダイヤリングすることによって前述の設定データを相手方に送信している。
【０００４】
ところで、携帯電話機で文字メッセージの受信をする場合には、他の携帯電話機等から基地無線装置を介されて送信された電波を受け、その中に含まれる文字情報に対応した文字表示を携帯電話機本体に設けられたＬＣＤ等の表示器に行うようになっている。
【０００５】
そして、この表示は、文字情報の受信をしたときに行なわれ、また、携帯電話機の種類
（構成）によっては表示内容をメモリに記憶させることによって受信をしたとき以後の任意の時点でも行なうことができるようになっている。
【０００６】
従って、相手方に伝えたい文字情報が、音声のやり取りで伝達するに必要な通信時間に比べ、各段に短かい通信時間で伝達され、極めて能率的な文字情報伝達を行うことができるのである。
【０００７】
【発明が解決しようとする課題】
以上のような文字伝送機能付き携帯電話機は、音声通話を行うことができると共に、必要に応じて文字メッセージの送受信も行うことができるので甚だ便利であるものの、受信先の携帯電話機の利用者が、文字メッセージが受信されて表示されたことを見忘れてしまう場合がある。
【０００８】
また、文字メッセージが特定時刻に関するものであった場合、例えば、「１５：００ニ、ＡカイシャノＢサンニデンワシテホシイ」という文字メッセージを、特定時刻である１５：００の以前に送信した場合には、受信先の携帯電話機の利用者が受信時点でその内容を了解していても特定時刻において忘れてしまう虞があり、情報伝達が円滑に行なわれなくなってしまう。
【０００９】
そこで、本発明の目的は、所定の文字メッセージを送信するに際して、受信先の携帯電話機の利用者が、文字メッセージの内容を確実に認識でき、表示を見忘れたり特定時刻を忘れてしまうことがない文字伝送機能付き携帯電話機を提供することにある。
【００１０】
【課題を解決するための手段】
前述の課題を解決するため、本発明による文字伝送機能付き携帯電話機は、次のような特徴的構成を採用している。
【００１１】
（１）無線基地装置に対して音声送受信と文字メッセージの送受信を行い得る文字伝送機能付き携帯電話機において、
現在時刻データを格納する第１記憶手段と、
前記無線基地装置から送信された文字情報を受信する受信手段と、
この受信手段で受信された文字情報に含まれる文字メッセージデータを格納する第２記憶手段と、
前記受信手段で受信された文字情報に含まれる告知時刻データを格納する第３記憶手段と、
前記第１記憶手段に格納された現在時刻データに基づく現在時刻と前記第３記憶手段に格納された告知時刻データに基づく告知時刻とが一致したときに他の機能に関する告知音とは異なる告知音を発生させる告知手段と、
前記第２記憶手段に格納された文字メッセージデータに基づく文字表示を、少なくとも前記告知手段による告知音後、第１の特定キーの操作に応答して表示させる表示手段と、
その操作により、文字メッセージの前記表示を停止させる第２の特定キーと、
を備え、前記第２の特定キーの操作が所定時間ないときに強制的に前記文字メッセージの表示を停止させる文字伝送機能付き携帯電話機。
【００１７】
【発明の実施の形態】
以下、本発明の実施の形態について添付図面を参照しながら説明する。図１は、本発明による文字伝送機能付き携帯電話機の一実施形態の概略回路を示す回路ブロック図であり、携帯電話機１には、その一連の送受信動作等を複合的に制御するためのＣＰＵ２が設けられている。
【００１８】
ＣＰＵ２には、送受信回路３を介してアンテナ４が接続されると共に操作キー５が接続されている。この操作キー５は、図２に詳しく示すように、「ＯＮキー５ａ，ＯＦＦキー５ｂ，テンキー５ｃ，モードキー５ｄ，時間キー５ｅ，文字キー５ｆ」の５つの押釦キーで構成されている。
【００１９】
ＯＮキー５ａは、電源オン指令と送信開始の指令を与えるためのキーで、ＯＦＦキー５ｂは、電源オフ指令と送信終了の指令を与えるためのキーで、テンキー５ｃは、０，１〜９の数字表示とカタカナ表示及びアルファベット表示が付加された１０個のキーと「＊」「＃」のマークが表示された２個のキーでなり、電話番号や文字メッセージの入力用のキーである。
【００２０】
モードキー５ｄは、「保留，再送，機能，電話帳」のモードを切り替えるためのキーで、時間キー５ｅは、受信先に対する告知時刻を設定するためとアラーム鳴動を停止する指令を与えるためのキーで、文字キー５ｆは、文字情報を入力するためと指定時刻に文字情報の表示をさせるためののキーである。
【００２１】
ＣＰＵ２には、第１メモリ６と第２メモリ７が接続され、さらに、ＣＰＵ２には、現在時刻データを出力する時計回路８が接続され、携帯電話機１の本体表面にメッセージデータの着信有り表示や送受信の動作モード表示等の多数の動作表示をマークの状態で選択的に行うためのマーク表示と文字情報の表示を文字の状態で選択的に行い文字表示を行うためのＬＣＤ表示器９が接続されている。
【００２２】
また、告知時刻データと現在時刻データが一致したときにブザー鳴動を行わせるためのアラーム回路１０と、送話音声を入力するためのマイクロフォン１１と受話音声を出力するためのスピーカ１２が接続されている。
【００２３】
一方、第１メモリ６は、そのデータ格納の状態が図３に概念的に示されるように、送信用文字情報の格納領域６ａと受信した文字情報の格納領域６ｂとで形成されている。
【００２４】
送信用文字情報の格納領域６ａは、そのアドレスデータの格納部Ａ１と送信文字メッセージデータの格納部Ｄ１に区分けされている。
【００２５】
受信した文字情報の格納領域６ｂは、そのアドレスデータの格納部Ａ２と発信先電話番号データの格納部Ｄ２と受信文字メッセージデータの格納部Ｄ３に区分けされている。
【００２６】
他方、第２メモリ７は、そのデータ格納の状態が図４に概念的に示されるように、受信した文字情報の格納領域７ａと時計時刻情報の格納領域７ｂとで形成されている。
【００２７】
また、受信した文字情報の格納領域７ａは、そのアドレスデータの格納部Ａ３と発信者電話番号データの格納部Ｄ４と告知時刻開始コードデータの格納部Ｄ５と告知時刻データの格納部Ｄ６と受信した文字メッセージデータの格納部Ｄ７とに区分けされている。
【００２８】
さらに、現在時刻データの格納領域７ｂは、そのアドレスデータの格納部Ａ４と時計回路８（図１参照）からの現在時刻データの格納部Ｄ８に区分けされている。
【００２９】
以上のように構成された文字伝送機能付き携帯電話機における動作を図５ないし図７を用いて説明する。先ず、文字情報送信の動作を図５と図６に示すフローチャートに基づいて説明する。
【００３０】
図５に示すように、先ずステップＳ１で携帯電話機１が待ち受け状態であるか否かが判定されＮＯの場合には再度の判定が行なわれ、ＹＥＳとなったときに次のステップＳ２で時間キー５ｅが０Ｎされたか否かが判定され、ＹＥＳの場合には、次のステップＳ３に移行して、文字メッセージと当該文字メッセージの告知時刻とを文字情報として設定する入力手段による入力が開始される。そして、次のステップＳ４で第１メモリ６の中の格納領域６ａ（図３参照）の格納部Ａ１にテンキー５ｃを用いてアドレスデータが格納される。
【００３１】
次のステップＳ５では、告知時刻が４桁の数字、例えば午後２時の場合には「１４００」なる数字をテンキー５ｃで入力する。このとき、テンキー５ｃによる告知時刻の入力は時刻として有り得ない数字のキー、例えば時間単位が２４を越えたものであったり分単位が５９を越えたものである場合には入力を受け付けないようにされている。
【００３２】
そして、次のステップＳ６においては、前述のステップＳ４でなされた格納部Ａ１に格納されたアドレスデータに対応して告知時刻データ（１４００）が格納される。
【００３３】
しかる後、ステップＳ７に移行して文字キー５ｆがオンされているか否かが判定され、ＹＥＳの場合にはテンキー５ｃのそれぞれに割り付けられたカタカナによる文字メッセージの入力が許容され、次のステップＳ９で第１メモリ６の格納部Ｄ１に文字メッセージデータの格納が行なわれ、次のステップＳ１０で文字キー５ｆがオンされているか否かが判定されＮＯの場合にはステップＳ８に戻されステップＳ８〜ステップＳ１０が再び実行され、ステップＳ１０がＹＥＳとなったときに、図面作成上の中継点（Ａ）を介して図６に示すステップＳ１２に移行する。
【００３４】
また、ステップＳ２でＮＯの場合にはステップＳ７にジャンプされ、前述同様にステップＳ８〜ステップＳ１０が実行され、ステップＳ７がＮＯの場合にはスピーカ１２に警告音（後述の告知音とは明らかに異なる音）を鳴動させ文字キー５ｆをオンすることが促される。
【００３５】
そして、図６に示すステップＳ１２で、前述のように入力設定された文字メッセージデータの第１メモリ６への格納が終了し、次のステップＳ１３で文字キー５ｆの押下げの有無が判定され、有（ＹＥＳ）の場合には次のステップＳ１４では既に格納されている文字情報のアドレス番号がテンキー５ｃのいずれかの番号のキーの押下げの有無が判定され、有（ＹＥＳ）の場合には次のステップＳ１５で送信先の電話番号がテンキー５ｃの押下げでなされたか否かが判定され、ＹＥＳの場合には次のステップＳ１６でＯＮキー５ａの押下げの有無が判定され有（ＹＥＳ）の場合には次のステップＳ１７で文字メッセージと当該文字メッセージの告知時刻とを１組の文字情報として入力手段で設定されたものを、無線基地装置（図示せず）に対して送信するのである。具体的には当該文字情報が図１に示す送受信回路３が送信モードにされアンテナ４から送信され、しかる後にステップＳ１８で携帯電話機１が待ち受け状態にされる。
【００３６】
また、ステップＳ１３〜ステップＳ１６のそれぞれの判定が１つでもＮＯである場合には、文字情報の送信がなされずステップＳ１８で携帯電話機１が待ち受け状態にされ一連の文字情報送信動作が完了する。
【００３７】
次に、文字情報受信の動作を図７に示すフローチャートに基づいて説明する。先ず、ステップＳ１９で携帯電話機１か待ち受け状態であるか否かが判定されＮＯの場合には再度ステップＳ１９が実行され、ＹＥＳとなった場合に、次のステップＳ２０に移行し、文字情報の着信があったか否かが判定され、ＹＥＳの場合には次のステップＳ２１で告知時刻指定文字コードデータの有無が判定され、ＹＥＳの場合には、さらに次のステップＳ２２で告知時刻データの有無が判定されＹＥＳの場合には、次のステップＳ２３で第２メモリ７の格納領域７ａのアドレスデータの格納部Ａ３と発信者電話番号データの格納部Ｄ４と告知時刻開始コードデータの格納部Ｄ５と告知時刻データの格納部Ｄ６と受信した文字メッセージデータの格納部Ｄ７とに区分けされて（概念的に）格納される。
【００３８】
そして、次のステップＳ２４で現在時刻データが第２メモリ７の現在時刻情報の格納領域７ｂのアドレスデータの格納部Ａ４と現在時刻データの格納部Ｄ８に区分けされて（概念的に）格納される。
【００３９】
次のステップＳ２５で「現在時刻データＭ１＝告知時刻データＭ２」の判定がなされ、ＮＯの場合にはステップＳ２４に戻されＹＥＳの場合、即ち、格納された現在時刻が告知時刻になったときにステップＳ２６で告知音がスピーカ１２から鳴動され、告知時間であることを携帯電話機１の利用者に明確に知らしめることができる。この告知音は、前述の図５に示すステップＳ１１の警告オンとは明確に異なっているために、告知であることを簡単に認識できる。
【００４０】
そして、次のステップＳ２７によって時間キー５ｅの押下げの有無が判定され、ＮＯである場合には告知音の鳴動が持続しＹＥＳとなったときに表示器９に文字メッセージが表示されると同時に告知音の鳴動が停止され、次のステップＳ２９に移行する。このステップＳ２９は、文字キー５ｆの押下げの有無を判定するもので、ＹＥＳの場合には次のステップＳ３０で表示器９による文字メッセージの表示を終了させ、次のステップＳ３２で携帯電話機１を待ち受け状態にする。なお、ステップＳ２０がＮＯの場合には、文字情報が受信されていないのでステップＳ２１以降のステップが不要であるためにステップＳ３２にジャンプして携帯電話機１を待受け状態にして一連の受信動作が途中で打ち切られ、これと共に、ステップＳ２１とステップＳ２２の１つでもＮＯの場合には、告知時刻文字コードまたは告知時刻データがないためにステップＳ２３以降のステップが不要であるために同様にしてステップＳ３２にジャンプさせて携帯電話機１を待受け状態にして一連の受信動作を途中で打ち切るようにしている。
【００４１】
また、ステップＳ２９でＮＯの場合には、当該表示がそのまま継続されることになり、新たに送信できなくなったり新たに文字情報の入力設定を行なえなくなってしまう。このために符号（Ｂ）で示すステップに分岐して、ある程度の時間の後に文字メッセージの表示を強制的に打ち切って携帯電話機１を待ち受け状態にしたり、図５に示す符号（Ｃ）に位置にジャンプさせステップＳ１１による警告音の発生をさせて文字キー５ｆを押下げて表示終了とすることを促すようにすることが望ましい。
【００４２】
このようにして文字情報の一連の受信動作が終了するのである。従って、本発明の一実施の形態による文字伝送機能付き携帯電話機によれば、告知された時刻になるとスピーカ１２から告知音が発せられ、これと同時に文字メッセージが表示器９に表示されるために、受信先の携帯電話機１の利用者が、文字メッセージの内容を確実に認識でき、その表示を見忘れたりすることがないと共に、告知時刻を忘れてしまうことがない。
【００４３】
なお、本発明は前述形態に限定されることなく、文字メッセージの文字数の設定や告知時刻データの態様が２４時間表示の４桁の数字であったり、ＡＭ／ＰＭに分けた１２時間表示の４桁の数字であったり時間と分の間に時表示を意味するの「：」を付加したり、告知時刻に日もしくは月日を含ませたり曜日を含ませたりしてもよい。また、文字メッセージは、カタカナの他に英数字、ひらがな、漢字であったり、これらを組み合わせたものであったり、例えば電話型の図形マークであったり、送信側と受信側で予め確認しあった「コード文字の表示」であってもよい。
【００４４】
また、告知音の鳴動を音声通話用のスピーカ１２に兼用させずに独立して設けられたブザー等の鳴動手段であってもよい。
【００４５】
【発明の効果】
以上説明したように、本発明の文字伝送機能付き携帯電話機によれば、相手方に伝えたい文字情報が、音声のやり取りで伝達するに必要な通信時間に比べ、各段に短かい通信時間で伝達され、極めて能率的な文字情報伝達を行うことができると共に、当該文字情報に告知時刻データを含ませ、告知時刻になると告知音が発せられるために、告知時刻の以前に送信した場合であっても、受信先の携帯電話機の利用者が受信時点でその内容を了解していても特定時刻において忘れてしまうことがなくなり、情報伝達を極めて円滑に行なうことができる。
【００４６】
したがって、所定の文字メッセージを送信するに際して、受信先の携帯電話機の利用者が、文字メッセージの内容を確実に認識でき、表示を見忘れたり特定時刻を忘れてしまうことがない文字伝送機能付き携帯電話機を提供することができる。
【図面の簡単な説明】
【図１】本発明の一実施の形態による文字伝送機能付き携帯電話機の概略回路を表わすブロック図である。
【図２】本発明の一実施の形態による文字伝送機能付き携帯電話機の外観を表わす正面図である。
【図３】図１中に示される第１メモリのデータ格納内容を概念的に表わす図である。
【図４】図１中に示される第２メモリのデータ格納内容を概念的に表わす図である。
【図５】本発明の−実施の形態を示す文字伝送機能付き携帯電話機における文字情報の設定入力動作を表わすフローチャートである。
【図６】本発明の−実施の形態を示す文字伝送機能付き携帯電話機における文字情報の送信動作を表わすフローチャートである。
【図７】本発明の−実施の形態を示す文字伝送機能付き携帯電話機における文字情報の受信動作を表わすフローチャートである。
【符号の説明】
１    携帯電話機
２    ＣＰＵ
３    送受信回路
４    アンテナ
５    操作キー
５ａ  ＯＮキー
５ｂ  ＯＦＦキー
５ｃ  テンキー
５ｄ  モードキー
５ｅ  時間キー
５ｆ  文字キー
６    第１メモリ
７    第２メモリ
８    時計回路
９    表示器
１０  アラーム回路
１１  マイクロフォン
１２  スピーカ
【図１】
0003911852.tif 000002
【図２】
0003911852.tif 000003
【図３】
0003911852.tif 000004
【図４】
0003911852.tif 000005
【図５】
0003911852.tif 000006
【図６】
0003911852.tif 000007
【図７】
0003911852.tif 000008